(57)【特許請求の範囲】
【請求項１】
特定の周波数帯域の制御信号と当該周波数帯域とは異なる周波数帯域の音声信号および映像信号とを含む伝送信号を親機と子機との間で第１の伝送線を介して伝送し、親機に第２の伝送線を介して接続される増設親機と第１の伝送線に接続された子機との間で親機を介して上記伝送信号を伝送するドアホン装置において、親機は、第１の伝送線を介して子機に電源を供給する電源回路と、第１の伝送線と第２の伝送線との間に挿入され制御信号の周波数帯域のみを通過させることにより電源回路から増設親機への電源供給を阻止するとともに制御信号を子機と増設親機との間で音声信号および映像信号とは分離して伝送させる制御信号経路を形成するバンドパスフィルタとを備えていることを特徴とするドアホン装置。
【請求項２】
上記バンドパスフィルタは受動形であることを特徴とする請求項１記載のドアホン装置。
【発明の詳細な説明】
【０００１】
【発明の属する技術分野】
本発明は、制御信号を含んだ伝送信号を子機と親機との間および親機と増設親機との間でそれぞれ別の伝送線を介して伝送するとともに、親機を介在させて子機と増設親機との間で伝送信号を伝送するようにしたドアホン装置に関するものである。
【０００２】
【従来の技術】
従来より、図４に示すように、子機としてのドアホン子機２を第１の伝送線Ｌ1 を介して親機１に接続し、親機１に第２の伝送線Ｌ2 を介して増設親機３を接続することができるドアホン装置が提案されている。伝送線Ｌ1 ，Ｌ2 には２線式の平衡ケーブルが用いられる。
【０００３】
ドアホン子機２は通常は戸外に設置されるものであって、図５に示すように、来訪者を撮像するＴＶカメラ２１と、通話用のマイクロホン２２およびスピーカ２３を備える。ＴＶカメラ２１は露出調整やピント調整が可能であって、これらの調整は後述する制御信号により行なわれる。ＴＶカメラ２１より出力される映像信号は映像変調回路２１ａにより変調された後に多重化回路２４に入力される。多重化回路２４には接続端子Ｔ2 が設けられ、この接続端子Ｔ2 には伝送線Ｌ1 が接続される。
【０００４】
また、マイクロホン２２から出力された音声信号はマイクアンプ２２ａにより増幅され、２線−４線変換回路２５を通して多重化回路２４に入力される。一方、多重化回路２４より出力される音声信号は２線−４線変換回路２５を介してスピーカアンプ２３ａに入力されスピーカ２３で音声に変換されて出力される。マイクアンプ２２ａやスピーカアンプ２３ａは制御信号により増幅率を調整することができるように構成されている。ここに、２線−４線変換回路２５は、マイクロホン２２からの音声信号とスピーカ２３への音声信号とを同じ線路で伝送するとともに、マイクロホン２２からスピーカ２３への回り込みを抑制するために設けられている。
【０００５】
制御信号はＣＰＵ２６で認識・解析処理され、またＣＰＵ２６で制御信号のデータを生成するのであって、ＣＰＵ２６で生成されたデータは制御信号変調回路２７ａで変調された後、制御信号送信回路２７ｂを通して多重化回路２４を通ることなく制御信号として接続端子Ｔ2 より外部に出力される。また、接続端子Ｔ2 から入力された制御信号は多重化回路２４を通ることなく制御信号受信回路２８ｂに入力され、制御信号復調回路２８ａで復調された後、ＣＰＵ２６に入力される。このように、接続端子Ｔ2 から制御信号受信回路２８ｂおよび制御信号復調回路２８ａを通してデータがＣＰＵ２６に入力されると、ＣＰＵ２６は、ＴＶカメラ２１の露出ないしピント、マイクアンプ２２ａの増幅率、スピーカアンプ２３ａの増幅率などを調整する。これらの調整の状態はＣＰＵ２６を通して制御信号として出力される。
【０００６】
ドアホン子機２の電源は、親機１から伝送線Ｌ1 を通して供給され、電源回路２９で安定化されてドアホン子機２の内部回路に与えられる。ところで、伝送線Ｌ1 は２線式の平衡ケーブルであって、映像信号、音声信号、制御信号の伝送と電源の供給とに用いられるのであるから、伝送線Ｌ1 では映像信号、音声信号、制御信号が混在し、それらの信号が電源に重畳された形で伝送されることになる。映像信号と音声信号と制御信号とは周波数帯域が異なるから（特開平５−２０７１６６号公報等参照）、多重化回路では伝送線Ｌ1 から接続端子Ｔ2 を通して入力された信号を、周波数帯域別に弁別することにより、映像信号と音声信号に分離するのである。また、制御信号は制御信号受信回路２８ｂで抽出される。ドアホン子機２で発生した映像信号、音声信号、制御信号は電源に重畳させて伝送線Ｌ1 に送出する。なお、ドアホン子機２は図示していない呼出釦を備えており、来訪者が呼出釦を押操作すると伝送線Ｌ1 の線間電圧を変化させて親機１に知らせるようになっている。
【０００７】
親機１は、図４に示すように、伝送線Ｌ1 が接続される接続端子Ｔ11を備え、接続端子Ｔ11を通して伝送線Ｌ1 から受け取った信号は多重化回路１４1 で映像信号と音声信号とに分離される。親機１は、ドアホン子機２のＴＶカメラ２１で撮像された画像を表示するためのモニタ１１を備え、また、ドアホン子機２との間で通話を可能とするためにマイクロホン１２およびスピーカ１３を備えている。モニタ１１にはＣＲＴまたは液晶表示器が用いられる。
【０００８】
多重化回路１４1 で分離された映像信号は、映像復調回路１１ａで復調された後にモニタ１１に入力されてＴＶカメラ１３で撮像した画像がモニタ１１に表示される。また、多重化回路１４1 で分離された音声信号は、ドアホン子機２に設けたものと同様の２線−４線変換回路１５を通してスピーカアンプ１３ａに入力されることによって増幅され、スピーカアンプ１３ａの出力によりスピーカ１３が駆動される。マイクロホン１２からの音声信号はマイクアンプ１２ａで増幅され、２線−４線変換回路１５を通して多重化回路１４1 に入力される。
【０００９】
伝送線Ｌ1 を伝送される制御信号は多重化回路１４1 を通らずに制御信号受信回路１８ｂ1 に入力され、制御信号復調回路１８ａ1 で復調された後、ＣＰＵ１６に入力される。また、ＣＰＵ１６で生成されたデータは制御信号変調回路１７ａ1 により変調された後、制御信号送信回路１７ｂ1 を通して制御信号として多重化回路１４1 を通さずに接続端子Ｔ11より伝送線Ｌ1 に送出される。ＣＰＵ１６は、ドアホン子機２におけるＴＶカメラ２１の露出ないしピントの調整の指示やマイクアンプ２２ａやスピーカアンプ２３ａの増幅率の調整の指示を行ない、またそれらに関する情報を受け取ってモニタ１１や図示しない表示器に表示させる。ここに、ドアホン子機２に指示を与えるための操作部は図示していない。
【００１０】
親機１には商用電源に接続されるプラグ１９ａが設けられ、商用電源を整流し安定化して内部回路やドアホン子機２に電源を供給するための電源回路１９が設けられている。多重化回路１４1 において電源回路１９の出力電圧には映像信号、音声信号が重畳される。多重化回路１４1 の出力は、接続端子Ｔ11を通して伝送線Ｌ1 に送出される。
【００１１】
ところで、親機１には、ドアホン子機２のＴＶカメラ２１で撮像した画像を表示したり、ドアホン子機２との間で通話したり、ドアホン子機２との間で制御信号を授受したりする機能があるが、これらの機能は屋内の複数箇所で利用できるほうが望ましい。そこで、親機１に設けた接続端子Ｔ12に伝送線Ｌ2 を接続し、この伝送線Ｌ2 を介して増設親機３を設けることが考えられている。
【００１２】
増設親機３を設けるには、映像信号、音声信号、制御信号をドアホン子機２と増設親機３との間でも伝送できるようにしなければならない。つまり、接続端子Ｔ11に接続された多重化回路１４1 と接続端子Ｔ12に接続された多重化回路１４2 との間に、映像信号、音声信号、制御信号をそれぞれ独立して通過させる経路を形成するのである。ドアホン子機２から増設親機３への映像信号は、映像信号増幅用アンプ１１ｂを通して増幅される。これは、映像信号の周波数が高く、平衡ケーブルよりなる伝送線Ｌ1 ，Ｌ2 での減衰量が比較的大きいからであって、映像信号を増幅して増設親機３に伝送することにより増設親機３に対して比較的強い映像信号を伝送することができる。音声信号は周波数が低いから伝送線Ｌ1 ，Ｌ2 での減衰量が少なく、多重化回路１４1 ，１４2 の間を接続するだけの簡単な構成で双方向の経路を形成している。
【００１３】
ところで、制御信号については、伝送線Ｌ1 側と伝送線Ｌ2 側とでほぼ対称になるような回路構成を採用している。つまり、接続端子Ｔ12とＣＰＵ１６との間に制御信号変調回路１７ａ2 、制御信号送信回路１７ｂ2 、制御信号復調回路１８ａ2 、制御信号受信回路１８ｂ2 を設けているのであり、接続端子Ｔ12から受け取った制御信号をＣＰＵ１６に入力し、ＣＰＵ１６で生成した制御信号を接続端子Ｔ12から送出するのである。
【００１４】
増設親機３は、図６に示すように、映像信号増幅用アンプ１１ｂ、制御信号変調回路１７ａ2 、制御信号送信回路１７ｂ2 、制御信号復調回路１８ａ2 、制御信号受信回路１８ｂ2 を親機１から省略した構成を有する。また、商用電源に接続されるプラグ３９ａを備え、商用電源を整流し安定化する電源回路３９を備えているが、この電源回路３９は増設親機３の内部回路への給電用であり、親機１のようにドアホン子機２への給電を行なうことはない。
【００１５】
つまり、増設親機３は、モニタ３１、映像復調回路３１ａ、マイクロホン３２、マイクアンプ３２ａ、スピーカ３３、スピーカアンプ３３ａ、多重化回路３４、２線−４線変換回路３５、ＣＰＵ３６、制御信号変調回路３７ａ、制御信号送信回路３７ｂ、制御信号復調回路３８ａ、制御信号受信回路３８ｂ、電源回路３９を備える。ここに、増設親機３を構成する各要素は、その要素に付した符号の第１文字の「３」を「１」と読み替えたときの親機１の各要素と同様の機能を持つものである（なお、読み替えの際には、親機１における制御信号変調回路１７ａ1 、制御信号送信回路１７ｂ1 、制御信号復調回路１８ａ1 、制御信号受信回路１８ｂ1 に付した添字「1 」は無視する）。また、多重化回路３４、制御信号送信回路３７ｂ、制御信号受信回路３８ｂは接続端子Ｔ3 を介して伝送線Ｌ2 に接続される。
【００１６】
親機１と増設親機３とには操作釦１６ａ，３６ａが設けられており、親機１と増設親機３との間の呼出などに用いられる。また、伝送線Ｌ2 の終端には映像信号の反射を防止するために終端抵抗５が接続される。
上述の構成により、親機１および増設親機３はドアホン子機２からの映像をモニタ１１，３１に表示し、またドアホン子機２との間で通話が可能になる。したがって、増設親機３を親機１とは異なる場所に配置し、ドアホン子機２により撮像した画像の監視やドアホン子機２との間の通話が複数箇所で可能になるのである。なお、伝送線Ｌ1 には電気錠操作用子機のように他の負荷を制御するための子機を接続することができ、そのような子機に設けた負荷の制御を指示したり負荷の動作状態を確認したりするためにも制御信号が用いられる。
【００１７】
【発明が解決しようとする課題】
ところで、上述した親機１には、ドアホン子機２と増設親機３との間で制御信号を伝送する経路を形成するために、制御信号変調回路１７ａ1 ，１７ａ2 、制御信号送信回路１７ｂ1 ，１７ｂ2 、制御信号復調回路１８ａ1 ，１８ａ2 、制御信号受信回路１８ｂ1 ，１８ｂ2 を２個ずつ備えている。つまり、映像信号の伝送経路としては映像信号増幅用アンプ１１ａを設け、音声信号の伝送経路としては多重化回路１４1 ，１４2 間を単に接続しているだけであるのに対して、制御信号の伝送経路は複雑な構成になっている。その結果、親機１のコスト増につながり、また親機１を構成する部品の実装面積が大きくなるという問題が生じる。さらに、ＣＰＵ１６では制御信号の送受を２組分処理する必要があり、ＣＰＵ１６の負荷が大きくなるという問題もある。
【００１８】
本発明は上記事由に鑑みて為されたものであり、その目的は、親機における制御信号の伝送経路を単純な構成として部品点数を削減し、低コスト化かつ小型化を実現したドアホン装置を提供することにある。
【００１９】
【課題を解決するための手段】
請求項１の発明は、特定の周波数帯域の制御信号と当該周波数帯域とは異なる周波数帯域の音声信号および映像信号とを含む伝送信号を親機と子機との間で第１の伝送線を介して伝送し、親機に第２の伝送線を介して接続される増設親機と第１の伝送線に接続された子機との間で親機を介して上記伝送信号を伝送するドアホン装置において、親機が、第１の伝送線を介して子機に電源を供給する電源回路と、第１の伝送線と第２の伝送線との間に挿入され制御信号の周波数帯域のみを通過させることにより電源回路から増設親機への電源供給を阻止するとともに制御信号を子機と増設親機との間で音声信号および映像信号とは分離して伝送させる制御信号経路を形成するバンドパスフィルタとを備えているのである。
【００２０】
この構成によれば、親機において子機と増設親機との間で制御信号を伝送させるために形成した制御信号経路にバンドパスフィルタを挿入するだけであるから、制御信号経路の構成が簡単なものになり、部品点数の減少に伴って低コスト化が可能になり、しかも、実装面積の減少による小型化が可能になる。さらに、制御信号を処理するための処理回路が制御信号を制御信号経路に通す処理に関与しないから、処理回路の負荷が軽減されることになる。また、第１の伝送線と第２の伝送線との間にバンドパスフィルタを設けていることにより親機から子機に電源を供給しながらも増設親機に電源が供給されることがない上に、子機と増設親機との間で制御信号の伝送を可能する制御信号経路を確保しながらも、この経路に音声信号および映像信号を通さないことにより、音声信号や映像信号に２つの経路が形成されるのを防止でき、結果的にゴーストの発生が防止され、また親機と増設親機との間の通話が子機に漏話するのを防止することができる。
【００２１】
請求項２の発明は、請求項１の発明において、バンドパスフィルタを受動形としたものである。
この構成によれば、親機が何らかの原因で使用できない場合でも、増設親機と子機との間の制御信号の授受が可能になる。とくに、子機が負荷を制御するものであって制御信号によって負荷の制御を指示するような場合には、親機に電源が供給されておらず親機から子機に対して負荷の制御を指示することができない場合でもバンドパスフィルタを通して増設親機からの制御信号を子機に与えることが可能になるのである。
【００２２】
【発明の実施の形態】
（実施形態１）
本実施形態は、図１に示すように、親機１の構成を従来構成とは変更したものである。ここで、伝送線Ｌ1 を介して親機１に接続される子機としてはドアホン子機２を用いるものとする。図中のドアホン子機２および増設親機３は従来例として説明したものと同じ構成を有するものである。
【００２３】
親機１は、映像信号と音声信号とについては従来構成と同様の伝送経路を有しているが、制御信号経路を従来構成とは変更してある。つまり、接続端子Ｔ11，Ｔ12の間に形成されている制御信号経路に制御信号の周波数帯域のみを通過させるバンドパスフィルタ１６ｂを挿入し、他の回路は介在させないようにしているのである。また、制御信号変調回路１７ａ、制御信号送信回路１７ｂ、制御信号復調回路１８ａ、制御信号受信回路１８ｂを１組だけ設け、制御信号送信回路１７ｂおよび制御信号受信回路１８ｂを接続端子Ｔ12に接続している。他の構成は図４に示した従来の親機１と同様の構成であって同符号を付した構成は同機能を有する。
【００２４】
この回路構成では、ドアホン子機２と増設親機３との間では制御信号はバンドパスフィルタ１６ｂを通して双方向に伝送されることになる。ここで、バンドパスフィルタ１６ｂを挿入していないものとすると、接続端子Ｔ11，Ｔ12との間で映像信号や音声信号もこの経路を通過可能となるから、映像信号や音声信号には２つの経路が形成されることになる。その結果、増設親機３に表示される映像にゴーストが生じたり、親機１と増設親機３との間の通話がドアホン子機１に漏話することになる（通常は、通話時にＣＰＵ１６が制御信号を受けて多重化回路１４1 ，１４2 の信号通過を制御することにより漏話を防止している）。これに対して、本実施形態ではバンドパスフィルタ１６ｂを設けることにより制御信号を映像信号や音声信号とは分離して伝送するから、これらの不都合が生じないのである。
【００２５】
また、制御信号経路にはバンドバスフィルタ１６ｂ以外の他の構成要素が存在しないから、制御信号経路の構成が簡単なものになりる。さらに、ＣＰＵ１６には制御信号変調回路１７ａ、制御信号送信回路１７ｂ、制御信号復調回路１８ａ、制御信号受信回路１８ｂが１組しか接続されず、しかも制御信号の伝送にＣＰＵ１６が関与しないから、制御信号の処理回路としてのＣＰＵ１６での処理量が軽減されることになる。加えて、従来は２組必要であった制御信号変調回路１７ａ、制御信号送信回路１７ｂ、制御信号復調回路１８ａ、制御信号受信回路１８ｂを１組しか用いていないから、部品点数が削減され、部品コストの低減が可能になり、かつ実装面積が低減して小型化につながるのである。
【００２６】
他の構成および動作は従来構成と同様である。なお、本実施形態では制御信号送信回路１７ｂおよび制御信号受信回路１８ｂを接続端子Ｔ12に接続しているが、接続端子Ｔ11に接続してもよい。また、ドアホン子機２と増設親機３との間にはバンドパスフィルタ１６ｂが介在していることにより、親機１からドアホン子機２に供給されている電源は増設親機３には供給されない。
【００２７】
（実施形態２）
本実施形態は、図２に示すように、子機としてドアホン子機２のほかに電気錠操作用子機４を設けたものである。つまり、電気錠操作用子機４は負荷としての電気錠６を制御信号に基づいて施錠・解錠するものである。電気錠操作用子機４では映像信号や音声信号は不要であるから、制御信号のみを授受することができるように構成されている。また、負荷としての電気錠６を駆動するためにプラグ４９ａを通して給電される商用電源を整流し安定化する電源回路４９を備える。つまり、電気錠操作用子機４は親機１からの給電を受けず、電源回路４９によって内部回路および電気錠６への給電を行なう。制御信号を授受する構成はドアホン子機１と同様であって、ＣＰＵ４６を備えるとともに、制御信号変調回路４７ａ、制御信号送信回路４７ｂ、制御信号復調回路４８ａ、制御信号受信回路４８ｂを備える。これらの要素に付した符号の先頭の文字である「４」を「１」に読み替えると、各要素はドアホン子機２の各要素と同機能を持つ。ＣＰＵ４６は制御信号を受けるとその内容に応じて電気錠駆動回路４６ｂを介して接続端子Ｔ43に接続された電気錠６を施錠・解錠するのである。また、親機１や増設親機３からのみではなく電気錠操作用子機４からも電気錠６の施錠・解錠を可能とするために、電気錠６の施解錠を指示するための操作釦４６ａも備えている。
【００２８】
上述のように構成された電気錠操作用子機４は、ドアホン子機２と親機１との間で伝送線Ｌ1 に接続される。つまり、制御信号送信回路４７ｂおよび制御信号受信回路４８ｂに２個の接続端子Ｔ41，Ｔ42を接続し、一方の接続端子Ｔ41を伝送線Ｌ1 を介して親機１に接続し、他方の接続端子Ｔ42を伝送線Ｌ1 を介してドアホン子機２に接続している。これは、ドアホン子機２から送出される映像信号が２系統に分かれることなく伝送されるようにしてゴーストの発生等による画像の劣化を防止するためである。また、親機１に設けたバンドパスフィルタ１６ｂは、受動形のものを用いており、親機１の内部回路に電源が供給されないようなときでも、バンドパスフィルタ１６ｂを通して増設親機３から電気錠操作用子機４に制御信号を送ることができるようにしてある。なお、親機１や増設親機３に設けた操作釦１６ａ，３６ａは電気錠６の施錠・解錠に用いることができる。他の構成および動作は実施形態１と同様である。
【００２９】
（実施形態３）
本実施形態は、図３に示すように、親機１に対してドアホン子機２および電気錠操作用子機４をスター接続したものであって、接続の形態のみが実施形態２と異なるものである。つまり、制御信号送信回路４７ｂと制御回路受信回路４８ｂとには１個の接続端子Ｔ41のみを設け、この接続端子Ｔ41に伝送線Ｌ1 を介して親機１を接続してある。この構成の場合に、ドアホン子機２からの映像信号は親機１だけでなく電気錠操作用子機４にも伝送されるから、反射が生じて親機１や増設親機３の画像にゴーストなどが生じて画像が劣化することになる。そこで、画像の劣化を抑制するために、親機１と電気錠操作用子機４とを接続する伝送線Ｌ3 を十分に短くしてある。
【００３０】
なお、親機１、ドアホン子機２、増設親機３の間で映像信号を伝送しない場合には、反射が問題になるような周波数帯域の信号を用いることがないから、伝送線Ｌ3 の長さをとくに短くしなくても問題は生じない。他の構成および動作は実施形態２と同様である。
【００３１】
【発明の効果】
請求項１の発明は、特定の周波数帯域の制御信号と当該周波数帯域とは異なる周波数帯域の音声信号および映像信号とを含む伝送信号を親機と子機との間で第１の伝送線を介して伝送し、親機に第２の伝送線を介して接続される増設親機と第１の伝送線に接続された子機との間で親機を介して上記伝送信号を伝送するドアホン装置において、親機が、第１の伝送線を介して子機に電源を供給する電源回路と、第１の伝送線と第２の伝送線との間に挿入され制御信号の周波数帯域のみを通過させることにより電源回路から増設親機への電源供給を阻止するとともに制御信号を子機と増設親機との間で音声信号および映像信号とは分離して伝送させる制御信号経路をを形成するバンドパスフィルタとを備えているものであり、親機において子機と増設親機との間で制御信号を伝送させるために形成した制御信号経路にバンドパスフィルタを挿入するだけであるから、制御信号経路の構成が簡単なものになり、部品点数の減少に伴って低コスト化が可能になり、しかも、実装面積の減少による小型化が可能になるという利点がある。さらに、制御信号を処理するための処理回路が制御信号を制御信号経路に通す処理に関与しないから、処理回路の負荷が軽減されるという利点もある。また、第１の伝送線と第２の伝送線との間にバンドパスフィルタを設けていることにより、子機と増設親機との間で制御信号の伝送を可能する制御信号経路を確保しながらも、この経路に音声信号および映像信号を通さないことにより、音声信号や映像信号に２つの経路が形成されるのを防止でき、結果的にゴーストの発生が防止され、また親機と増設親機との間の通話が子機に漏話するのを防止することができるという利点がある。
【００３２】
請求項２の発明のように、バンドパスフィルタを受動形としたものでは、親機が何らかの原因で使用できない場合でも、増設親機と子機との間の制御信号の授受が可能になる。とくに、子機が負荷を制御するものであって制御信号によって負荷の制御を指示するような場合には、親機に電源が供給されておらず親機から子機に対して負荷の制御を指示することができない場合でもバンドパスフィルタを通して増設親機からの制御信号を子機に与えることが可能になる。
【図面の簡単な説明】
【図１】実施形態１を示すブロック図である。
【図２】実施形態２を示すブロック図である。
【図３】実施形態３を示すブロック図である。
【図４】従来例を示すブロック図である。
【図５】ドアホン子機を示すブロック図である。
【図６】増設親機を示すブロック図である。
【符号の説明】
１  親機
２  ドアホン子機
３  増設親機
４  電気錠操作用子機
５  終端抵抗
６  電気錠
１６ｂ  バンドパスフィルタ
Ｌ1   （第１の）伝送線
Ｌ2   （第２の）伝送線
【図１】
0003726372.tif 000002
【図２】
0003726372.tif 000003
【図３】
0003726372.tif 000004
【図４】
0003726372.tif 000005
【図５】
0003726372.tif 000006
【図６】
0003726372.tif 000007